(57)【要約】【課題】建造物の基礎部分に蓄熱槽を構築する場合、従来の施工方法では、地盤と蓄熱槽が接する部分にコンクリートの打設等で区画を形成し、また断熱層も設ける必要があるため構造が複雑になり、蓄熱槽構築のための施工に手間がかかり、結果的に建造物のコストアップとなる等の課題がある。【解決手段】そこで本発明では、建造物の地盤１を掘削して形成した空間部２の内面に防水・防湿シート６を介して断熱層５ａを形成すると共に、断熱層に囲まれた空間部内に多数の蓄熱材７を充填して蓄熱層８を形成し、蓄熱層の上側に断熱層５ｂを形成した後、その上側に基礎スラブ９を施工することにより、基礎スラブの下方に蓄熱槽を構築することとした蓄熱機能を有する基礎及びその施工方法を提案する。【選択図】      図８
2004183304.tif 000002
【特許請求の範囲】
【請求項１】
建造物の地盤を掘削して形成した空間部の内面に断熱層を形成すると共に、断熱層に囲まれた空間部内に多数の蓄熱材を充填して蓄熱層を形成し、蓄熱層の上側に断熱層を形成した後、その上側に基礎スラブを施工することにより、基礎スラブの下方に蓄熱槽を構築することを特徴とする建造物における蓄熱機能を有する基礎の施工方法
【請求項２】
建造物の地盤を掘削して形成した空間部に、フーチングと基礎梁により囲まれた空間部を形成し、この空間部の内面に断熱層を形成すると共に、断熱層に囲まれた空間部内に多数の蓄熱材を充填して蓄熱層を形成し、蓄熱層の上側に断熱層を形成した後、その上側に基礎スラブを施工することにより、基礎スラブの下方に蓄熱槽を構築することを特徴とする建造物における蓄熱機能を有する基礎の施工方法
【請求項３】
空間部の内面と断熱層間及び蓄熱層の上面と断熱層間に防水・防湿シートを介装することを特徴とする請求項１に記載の建造物における蓄熱機能を有する基礎の施工方法
【請求項４】
空間部の内面と断熱層間及び蓄熱層の上面と断熱層間に防水・防湿シートを介装することを特徴とする請求項２に記載の建造物における蓄熱機能を有する基礎の施工方法
【請求項５】
蓄熱槽の一端側に空気導入口を形成すると共に、他端側に空気導出口を形成したことを特徴とする請求項１又は２に記載の建造物における蓄熱機能を有する基礎の施工方法
【請求項６】
蓄熱層を形成する蓄熱材として、地盤を掘削して得られる砂利・礫を用いることを特徴とする請求項１又は２に記載の建造物における蓄熱機能を有する基礎の施工方法
【請求項７】
蓄熱層を形成する蓄熱材として、建築解体工事によって得られるコンクリート廃棄物を利用することを特徴とする請求項１又は２に記載の建造物における蓄熱機能を有する基礎の施工方法
【請求項８】
断熱層を形成する断熱材として、合成樹脂系の骨材と、セメント系結合材を含む複合材料を用いることを特徴とする請求項１又は２に記載の建造物における蓄熱機能を有する基礎の施工方法
【請求項９】
合成樹脂系の骨材は、廃発泡スチロールを粉砕し、加熱減容処理して表面硬度を高めたものを利用すると共に、セメント系結合材は、地盤を掘削して得られる残土を含むソイルセメントを用いることを特徴とする請求項８に記載の建造物における蓄熱機能を有する基礎の施工方法
【請求項１０】
断熱層を形成する断熱材として、無機系繊維集合体を用いることを特徴とする請求項１又は２に記載の建造物における蓄熱機能を有する基礎の施工方法
【請求項１１】
蓄熱層には、蓄熱材と共に複数の短パイプを分散配置することを特徴とする請求項１又は２に記載の建造物における蓄熱機能を有する基礎の施工方法
【請求項１２】
建造物の地盤を掘削して形成した空間部の内面に断熱層を形成すると共に、断熱層に囲まれた空間部内に多数の蓄熱材を充填して蓄熱層を形成し、蓄熱層の上側には、断熱層を介して基礎スラブを施工して構成したことを特徴とする建造物における蓄熱機能を有する基礎
【請求項１３】
建造物の地盤を掘削して形成した空間部に、フーチングと基礎梁により囲まれた空間部を形成し、この空間部の内面に断熱層を形成すると共に、断熱層に囲まれた空間部内に多数の蓄熱材を充填して蓄熱層を形成し、蓄熱層の上側には、断熱層を介して基礎スラブを施工して構成したことを特徴とする建造物における蓄熱機能を有する基礎
【請求項１４】
蓄熱層には、蓄熱材と共に複数の短パイプを分散配置することを特徴とする請求項１２又は１３に記載の建造物における蓄熱機能を有する基礎
【発明の詳細な説明】
【０００１】
【発明の属する技術分野】
本発明は、建造物における蓄熱機能を有する基礎及びその施工方法に関するものである。
【０００２】
【従来の技術】
建造物における床の下方に蓄熱槽を構成して、その中に砂利やコンクリート廃材等の蓄熱材を充填した構成とし、太陽熱集熱器等で温度が上昇した空気を蓄熱槽内に導入して蓄熱材に蓄熱を行うと共に、熱を必要とする時間帯に、外気や室内空気等を蓄熱槽内に導入して蓄熱材と熱交換させ、温度が上昇した空気を蓄熱槽内から導出して室内暖房に供する蓄熱システムが従来から各種提案されている。例えば、実願昭６０−１５５９１０号（実開昭６２−６３６２２号）のマイクロフィルムや特開２０００−２９１１７１号公報等を参照のこと。
【０００３】
【発明が解決しようとする課題】
しかしながら従来の蓄熱システムにおいては、次のような課題がある。
１．建造物の基礎部分に蓄熱槽を構築する場合には、地盤と蓄熱槽が接する部分にコンクリートの打設等で区画を形成し、また断熱層も設ける必要があるため構造が複雑になり、蓄熱槽構築のための施工に手間がかかり、結果的に建造物のコストアップとなる。即ち、断熱層を設けない場合には、蓄熱槽からの伝熱による放熱効果が期待できるが、その効果は蓄熱槽の近傍にのみ限定される。
２．建造物の構造体の内部に蓄熱構造を構築する場合には、構造体が複雑になるばかりでなく、建造物の容積が増大し、蓄熱構造を有さない建造物と比較すると、有効空間の確保の点において劣る。
３．蓄熱用の施設を、建造物とは別に構築する場合には、別途、土地が必要となり、土地の有効活用ができない。
４．一方、大規模な工場やビル等の建造物の建設においては、地盤を大面積で掘削し、その空間部の底面に杭を施工し、フーチング及び基礎梁を施工することによって、工期短縮が可能である。しかしながらこのような施工方法を用いると、一階の床スラブと地盤表面の間に無駄な空間が生じてしまう上、一階床スラブの構築の際に型枠を用いたコンクリート工事が発生する。
５．更に、従来では、建造物の構築に際し、それまでの建造物の解体が必要な場合において、解体によって発生する廃棄物の処理を有効に利用することは余り行われていない。
そこで本発明は、このような課題を解決することを目的とするものである。
【０００４】
【課題を解決するための手段】
上述した課題を解決するために、請求項１の発明では、建造物の地盤を掘削して形成した空間部の内面に断熱層を形成すると共に、断熱層に囲まれた空間部内に多数の蓄熱材を充填して蓄熱層を形成し、蓄熱層の上側に断熱層を形成した後、その上側に基礎スラブを施工することにより、基礎スラブの下方に蓄熱槽を構築することとした建造物における蓄熱機能を有する基礎の施工方法を提案するものである。
【０００５】
また請求項２の発明では、建造物の地盤を掘削して形成した空間部に、フーチングと基礎梁により囲まれた空間部を形成し、この空間部の内面に断熱層を形成すると共に、断熱層に囲まれた空間部内に多数の蓄熱材を充填して蓄熱層を形成し、蓄熱層の上側に断熱層を形成した後、その上側に基礎スラブを施工することにより、基礎スラブの下方に蓄熱槽を構築することとした建造物における蓄熱機能を有する基礎の施工方法を提案するものである。
【０００６】
また請求項３の発明では、上記請求項１の施工方法において、空間部の内面と断熱層間及び蓄熱層の上面と断熱層間に防水・防湿シートを介装することを提案するものである。
【０００７】
また請求項４の発明では、上記請求項２の施工方法において、空間部の内面と断熱層間及び蓄熱層の上面と断熱層間に防水・防湿シートを介装することを提案するものである。
【０００８】
また請求項５の発明では、上記請求項１又は２の施工方法において、蓄熱槽の一端側に空気導入口を形成すると共に、他端側に空気導出口を形成することを提案する。
【０００９】
また請求項６の発明では、上記請求項１又は２の施工方法において、蓄熱層を形成する蓄熱材として、地盤を掘削して得られる砂利・礫を用いることを提案する。
【００１０】
また請求項７の発明では、上記請求項１又は２の施工方法において、蓄熱層を形成する蓄熱材として、建築解体工事によって得られるコンクリート廃棄物を用いることを提案する。
【００１１】
また請求項８の発明では、上記請求項１又は２の施工方法において、断熱層を形成する断熱材として、合成樹脂系の骨材と、セメント系結合材を含む複合材料を用いることを提案する。
【００１２】
また請求項９の発明では、上記請求項８の施工方法において、合成樹脂系の骨材は、廃発泡スチロールを粉砕し、加熱減容処理して表面硬度を高めたものを利用すると共に、セメント系結合材は、地盤を掘削して得られる残土を含むソイルセメントを用いることを提案する。
【００１３】
また請求項１０の発明では、上記請求項１又は２の施工方法において、断熱層を形成する断熱材として、無機系繊維集合体を用いることを提案する。
【００１４】
また請求項１１の発明では、上記請求項１又は２の施工方法において、蓄熱層には、蓄熱材と共に複数の短パイプを分散配置することを提案する。
【００１５】
また請求項１２の発明では、建造物の地盤を掘削して形成した空間部の内面に断熱層を形成すると共に、断熱層に囲まれた空間部内に多数の蓄熱材を充填して蓄熱層を形成し、蓄熱層の上側に、断熱層を介して基礎スラブを施工して構成した建造物における蓄熱機能を有する基礎を提案する。
【００１６】
また請求項１３の発明では、建造物の地盤を掘削して形成した空間部に、フーチングと基礎梁により囲まれた空間部を形成し、この空間部の内面に断熱層を形成すると共に、断熱層に囲まれた空間部内に多数の蓄熱材を充填して蓄熱層を形成し、蓄熱層の上側に、断熱層を介して基礎スラブを施工して構成した建造物における蓄熱機能を有する基礎を提案する。
【００１７】
また請求項１４の発明では、請求項１２又は１３の基礎において、蓄熱層には、蓄熱材と共に複数の短パイプを分散配置することを提案する。
【００１８】
上述した請求項１、２、１２及び１３の発明によれば、建造物を構築する際に必要となる基礎工事の地盤改良工事と基礎スラブの構築に際して、同時に蓄熱槽を構築することができる。
【００１９】
請求項３及び４の発明によれば、空間部の内面と断熱層間又は空間部の内面と断熱層間に設けた防水・防湿シートにより、地盤から蓄熱槽内への湿気の上昇を防止することができ、また蓄熱層の上面と断熱層間に設けた防水・防湿シートにより、施工時に高い流動性を有する断熱材を用いることができるようになる。
【００２０】
請求項５の発明によれば、一端側に形成した空気導入口から空気を導入して蓄熱槽内を流し、他端側に形成した空気導出口から導出することにより、熱源からの空気により蓄熱槽内の蓄熱材に蓄熱を行うと共に、蓄熱材に蓄熱された熱を空気により蓄熱槽から取り出して利用することができる。
【００２１】
請求項６の発明によれば、地盤を掘削して得られる砂利・礫を、また請求項７の発明によれば、建築解体工事によって得られるコンクリート廃棄物を、夫々蓄熱材として有効利用することができ、建設廃材のゼロエミッション構想の一助とすることができる。
【００２２】
請求項８の発明によれば、合成樹脂系の骨材とセメント系結合材を含む複合材料、例えば請求項９の発明のように、廃発泡スチロールを粉砕し、加熱減容処理して表面硬度を高めたものを骨材として利用すると共に、地盤を掘削して得られる残土を含むソイルセメントをセメント系結合材として構成した断熱材を利用することにより、良好な断熱性能と共に、構造耐力を満たすことができ、この場合には断熱材が地盤改良の機能も有する。尚、断熱材としては請求項１０の発明のようにロックウールやグラスウール等の無機系繊維集合体を用いることもできる。
【００２３】
請求項１１及び１４の発明によれば、蓄熱層を構成する多数の蓄熱材と共に分散配置された複数の短パイプにより、蓄熱層の空気流通性を向上させることができるので、蓄熱層を流れる空気と蓄熱材との熱交換を効率的に行うことができる。
【００２４】
【発明の実施の形態】
次に本発明の実施の形態を図１〜図１７を参照して説明する。
まず図１〜図８は本発明に係る建造物の基礎の第１の実施の形態を施工過程により示す説明図である。
まず図１は建造物を構築する地盤１を示すものである。まずこの地盤１を図２に示すように掘削して空間部２を形成する。符号３は掘削により排出された残土、４は砂利・礫である。
【００２５】
次いで、図３に示すように空間部２の内面に断熱材による断熱層５ａを形成する。断熱層５ａを形成する断熱材は、例えば合成樹脂系の骨材と、セメント系結合材を含む複合材料を用いたり、ロックウールやグラスウール等の無機系繊維集合体を用いることができる。
このうち、例えば、骨材として、廃発泡スチロールを粉砕し、加熱減容処理して表面硬度を高めた人工骨材を用いると共に、セメント系結合材としてソイルセメントを用い、この人工骨材とセメント系結合材とを水で練り合わせた複合材料を断熱材として用いれば、良好な断熱性能と共に構造耐力を増すことができる。従ってこの複合材料を用いれば、断熱性能と共に地盤改良の機能も有する。そして、このソイルセメントの土としては、上記残土３を有効利用することができる。
【００２６】
またこのような複合材料を断熱材として用いることにより、常温での湿式施工が可能であり、空間部２の底面側の施工は、従来のコンクリート施工と同様な手順で施工できる。そのため短時間での施工が可能となる。
【００２７】
この実施の形態では、地盤１からの湿気の上昇を防ぐために、空間部２の内面と断熱層５の間に防水・防湿シート６を介装している。
【００２８】
次いで、図４に示すように、断熱層５ａに囲まれた空間部２内に多数の蓄熱材７を投入し、充填して蓄熱層８を形成する。
蓄熱材７は、コンクリートブロック体等の通常の蓄熱材を用いる他、地盤１を掘削して得られる砂利・礫６や、建築解体工事によって得られるコンクリート廃棄物を用いることができる。
【００２９】
次いで、図５に示すように、蓄熱層８の上側に断熱層５ｂを形成する。この断熱層５ｂを形成する断熱材は、硬化して上部の荷重を保持できるようなものとする。
例えば、このような断熱材としては、上記した廃発泡スチロールを粉砕し、加熱減容処理して表面硬度を高めた人工骨材と、ソイルセメントを水で練り合わせた複合材料を用いることができ、この複合材料を用いれば、未硬化状態においては適度の流動性を確保することができ、しかも空間部２内への落下を防止することができる。
【００３０】
上記した複合材料においては、ソイルセメント用流動化剤を用いることにより高い流動性を確保することができる。しかし、流動性が高い場合には、未硬化の複合材料が空間部２内に落下する場合も起こり得るので、この場合には、蓄熱層８の上面と断熱層５ｂ間に防水・防湿シート６を介装する。
【００３１】
このようにして断熱層５ｂが硬化して、上部の荷重を保持できるような状態となったら、次に、図６に示すように、断熱層５ｂの上側に基礎スラブ９を施工する。この基礎スラブ９の施工において、基礎スラブ９のコンクリートは断熱層５ｂ自体により保持されるため、型枠を必要としない。このことから、断熱層５ｂの上面は、予め平坦に施工するのが好ましい。
【００３２】
このように基礎スラブ９が施工されることにより、基礎スラブ９の下方には、断熱層５ａ，５ｂにより断熱された空間部２内に蓄熱槽が形成される。次いで図７に示すように蓄熱槽の一端側には空気導入口１０を、他端側には空気導出口１１を設ける。尚、空気導入口１０及び空気導出口１１は、基礎スラブ９を施工する前に設けることもできる。
【００３３】
以上の構成により、空気導入口１０から蓄熱槽内に空気を導入して蓄熱層８の中を流し、空気導出口１１から導出することにより、熱源、例えば太陽熱集熱器やクールチューブあるいは熱源装置等から蓄熱槽内の蓄熱材７に蓄熱を行うと共に、蓄熱材７に蓄熱された熱を蓄熱槽から取り出して利用することができる。
【００３４】
次に図８は本発明に係る建造物の基礎の第２の実施の形態を示す説明図であり、この実施の形態では、蓄熱層８に、蓄熱材７と共に複数の短パイプ１２を分散配置している。その他の構成及びその施工方法は第１の実施の形態と同様であるので、対応する構成要素には同一の符号を付して重複する説明は省略する。
この実施の形態では、蓄熱層８を構成する多数の蓄熱材７と共に分散配置された複数の短パイプ１２により、蓄熱層８の空気流通性を向上させることができ、従って、蓄熱層を流れる空気と蓄熱材７との熱交換を効率的に行うことができる。
【００３５】
次に図９〜図１６は本発明に係る建造物の基礎の第３の実施の形態を施工過程により示す説明図である。
まず図９は建造物を構築する地盤２１を示すもので、この地盤２１を図１０に示すように掘削して空間部２２を形成する。符号２３は掘削により排出された残土、２４は砂利・礫である。
【００３６】
次いで図１１に示すように、掘削により形成された空間部２２の底面に杭２５を施工すると共に、フーチング２６と基礎梁２７を施工する。次いで図１２に示すように、空間部２２の底面の地盤２１とフーチング２６及び基礎梁２７の内面に、地盤２１からの湿気の上昇を防ぐための防水・防湿シート２８を介して断熱材による断熱層２９ａを形成する。この断熱層２９ａを形成する断熱材は、第１の実施の形態と同様なものを用いることができる。
【００３７】
次いで、図１３に示すように、断熱層２９ａに囲まれた空間部２２内に多数の蓄熱材３０を投入し、充填して蓄熱層３１を形成する。蓄熱材３０も、第１の実施の形態と同様なものを用いることができる。
【００３８】
次いで、図１４に示すように、蓄熱層３１の上側に断熱層２９ｂを形成する。この断熱層２９ｂを形成する断熱材は、硬化して上部の荷重を保持できるようなものであり、第１の実施の形態と同様なものを用いることができる。そして第１の実施の形態と同様に、硬化前の断熱材の流動性が高い場合には、それが空間部２２内に落下する場合も起こり得るので、この場合には、蓄熱層３１の上面と断熱層２９ｂ間に防水・防湿シート２８を介装する。
【００３９】
次いで、図１５に示すように空間部２２の一端側に対応する断熱層２９ｂの個所に空気導入口３２を、他端側に対応する個所に空気導出口３３を形成し、そして断熱層２９ｂが硬化して、上部の荷重を保持できるような状態となったら、図１６に示すように、断熱層２９ｂと基礎梁２７の上側に基礎スラブ３４を施工する。この基礎スラブ３４の施工において、基礎スラブ３４のコンクリートは断熱層２９ｂ自体により保持されるため、型枠を必要としない。このことから、断熱層２９ｂの上面は、予め平坦に施工するのが好ましい。
【００４０】
このように基礎スラブ３４を施工することにより、基礎スラブ３４の下方には、断熱層２９ａ，２９ｂにより断熱された空間部内に蓄熱槽が形成され、こうして空気導入口３２から空気を蓄熱槽内に導入して蓄熱層３１の中を流し、空気導出口３３から導出することにより、熱源、例えば太陽熱集熱器やクールチューブあるいは熱源装置等を利用して蓄熱槽３１内の蓄熱材３０に蓄熱を行うと共に、蓄熱材３０に蓄熱された熱を、蓄熱槽３１から取り出して利用することができる。
【００４１】
次に図１７は本発明に係る建造物の基礎の第４の実施の形態を示す説明図であり、この実施の形態では、第３の実施の形態の蓄熱層３１に、蓄熱材３０と共に複数の短パイプ３５を分散配置している。その他の構成及びその施工方法は第３の実施の形態と同様であるので、対応する構成要素には同一の符号を付して重複する説明は省略する。
この実施の形態では、蓄熱層３１を構成する多数の蓄熱材３０と共に分散配置された複数の短パイプ３５により、蓄熱層３１の空気流通性を向上させることができるので、蓄熱層３１を流れる空気と蓄熱材３０との熱交換を効率的に行うことができる。
【００４２】
【発明の効果】
本発明は以上のとおりであるので、次のような効果がある。
ａ．従来、複雑な構造と施工の手間がかかっていた蓄熱槽を、構造物を構築する際に必要となる基礎工事の地盤改良工事及び基礎スラブを構築する際に、同時に、簡易な方法で構築することができ、流通させる空気により蓄熱と放熱を行うことができる蓄熱の機能を建造物の基礎自体に付加させることが可能である。
ｂ．基礎に蓄熱槽を構築するので、建造物の内部に蓄熱槽を構築する必要がなくなり、結果的に建造物の内部空間の有効利用が可能となるばかりでなく、建造物の内部に蓄熱槽を構築する場合と比較して、建造物の所要容積を小さくすることができる。
ｃ．こうして建造物に容易に蓄熱の機能を付加することができるので、蓄熱機能を有しない建造物と比較して、電気使用量が減少し、電気料金の削減と電気代の節約が可能となる。
ｄ．基礎に蓄熱槽を構築するので、その上部には、蓄熱機能を有しない建造物と同様な空間構築が可能である。
ｅ．蓄熱槽の構造が単純であるため、その構築のための施工が容易であり、建造物のコストアップとはならない。
ｆ．蓄熱材としては、従来から用いられている蓄熱材料の他に、建造物を構築する際の土工事で排出される砂利・礫や、建造物の解体工事に際して排出されるコンクリート排気物を利用することができ、同様に断熱材の成分として残土を利用することもできるので、廃棄物の量を低減して、建設廃材のゼロエミッション構想に寄与することができる。
【図面の簡単な説明】
【図１】本発明に係る建造物の基礎の第１の実施の形態における施工過程を示す第１の説明図である。
【図２】本発明に係る建造物の基礎の第１の実施の形態における施工過程を示す第２の説明図である。
【図３】本発明に係る建造物の基礎の第１の実施の形態における施工過程を示す第３の説明図である。
【図４】本発明に係る建造物の基礎の第１の実施の形態における施工過程を示す第４の説明図である。
【図５】本発明に係る建造物の基礎の第１の実施の形態における施工過程を示す第５の説明図である。
【図６】本発明に係る建造物の基礎の第１の実施の形態における施工過程を示す第６の説明図である。
【図７】本発明に係る建造物の基礎の第１の実施の形態における施工過程を示す第７の説明図である。
【図８】本発明に係る建造物の基礎の第２の実施の形態を示す説明図である。
【図９】本発明に係る建造物の基礎の第３の実施の形態における施工過程を示す第１の説明図である。
【図１０】本発明に係る建造物の基礎の第３の実施の形態における施工過程を示す第２の説明図である。
【図１１】本発明に係る建造物の基礎の第３の実施の形態における施工過程を示す第３の説明図である。
【図１２】本発明に係る建造物の基礎の第３の実施の形態における施工過程を示す第４の説明図である。
【図１３】本発明に係る建造物の基礎の第３の実施の形態における施工過程を示す第５の説明図である。
【図１４】本発明に係る建造物の基礎の第３の実施の形態における施工過程を示す第６の説明図である。
【図１５】本発明に係る建造物の基礎の第３の実施の形態における施工過程を示す第７の説明図である。
【図１６】本発明に係る建造物の基礎の第３の実施の形態における施工過程を示す第８の説明図である。
【図１７】本発明に係る建造物の基礎の第４の実施の形態を示す説明図である。
【符号の説明】
１                地盤
２                空間部
３                残土
４                砂利・礫
５ａ，５ｂ        断熱層
６ａ，６ｂ        防水・防湿シート
７                蓄熱材
８                蓄熱層
９                基礎スラブ
１０              空気導入口
１１              空気導出口
１２              短パイプ
２１              地盤
２２              空間部
２３              残土
２４              砂利・礫
２５              杭
２６              フーチング
２７              基礎梁
２８              防水・防湿シート
２９ａ，２９ｂ    断熱層
３０              蓄熱材
３１              蓄熱層
３２              空気導入口
３３              空気導出口
３４              基礎スラブ
３５              短パイプ
【図１】
2004183304.tif 000003
【図２】
2004183304.tif 000004
【図３】
2004183304.tif 000005
【図４】
2004183304.tif 000006
【図５】
2004183304.tif 000007
【図６】
2004183304.tif 000008
【図７】
2004183304.tif 000009
【図８】
2004183304.tif 000010
【図９】
2004183304.tif 000011
【図１０】
2004183304.tif 000012
【図１１】
2004183304.tif 000013
【図１２】
2004183304.tif 000014
【図１３】
2004183304.tif 000015
【図１４】
2004183304.tif 000016
【図１５】
2004183304.tif 000017
【図１６】
2004183304.tif 000018
【図１７】
2004183304.tif 000019